(57)【要約】      （修正有）【課題】複数の視聴者が別々の番組を視聴できる表示システムを提供する。【解決手段】表示システム１００は、表示装置２およびモバイル機器３を含む。表示装置２は、番組信号ＰＳ１、ＰＳ２を受信するための信号受信ユニット２１と、番組信号ＰＳ１、ＰＳ２を番組コンテンツに変更し、番組コンテンツの１つを番組パケットに符号化するように作動可能な処理ユニット２２と、番組コンテンツを再生するように作動可能な第１の出力ユニット２３と、番組パケットを送信するための第１の通信ユニット２４を含む。モバイル機器３は、番組パケットを受信するための第２の通信ユニット３１と、送信された番組コンテンツを元に戻すために番組パケットを復号するように作動可能な制御ユニット３２と、送信された番組コンテンツを再生するための第２の出力ユニット３３を含む。【選択図】図１
2013085226.tif 000002
【特許請求の範囲】
【請求項１】
表示システム（１００）は、
第１の番組信号（ＰＳ１）および第２の番組信号（ＰＳ２）を受信するための信号受信ユニット（２１）と、
そこから前記第１および第２の番組信号（ＰＳ１、ＰＳ２）を受信するために前記信号受信ユニット（２１）と連結される処理ユニット（２２）であって、前記処理ユニット（２２）は、前記第１の番組信号（ＰＳ１）を第１の番組コンテンツ（Ｃ１）に変換することと、前記第２の番組信号（ＰＳ２）を第２の番組コンテンツ（Ｃ２）に変換することと、前記第２の番組コンテンツ（Ｃ２）を番組パケット（Ｅ１）に符号化することとができるように作動可能である前記処理ユニット（２２）と、
前記処理ユニット（２２）と連結されて、前記第１の番組コンテンツ（Ｃ１）を再生するために前記処理ユニット（２２）によって制御される第１の出力ユニット（２３）と、
前記処理ユニット（２２）と連結されて、前記番組パケット（Ｅ１）を送信するために前記処理ユニット（２２）によって制御される第１の通信ユニット（２４）とを含む表示装置（２）、および、
前記番組パケット（Ｅ１）を受信するための第２の通信ユニット（３１）と、
そこから前記番組パケット（Ｅ１）を受信するために前記第２の通信ユニット（３１）と連結される制御ユニット（３２）であって、前記制御ユニット（３２）は、前記第２の番組コンテンツ（Ｃ２）を元に戻すために前記番組パケット（Ｅ１）を復号するように作動可能である前記制御ユニット（３２）と、
前記制御ユニット（３２）と連結されて、前記第２の番組コンテンツ（Ｃ２）を再生するために前記制御ユニット（３２）によって制御される第２の出力ユニット（３３）とを含むモバイル機器（３）を含むことを特徴とする、表示システム（１００）。
【請求項２】
前記表示装置（２）は、前記処理ユニット（２２）および前記第１の出力ユニット（２３）と連結されるスケーラ（２５）を更に含み、前記スケーラ（２５）は、前記第１の出力ユニット（２３）がピクチャー・イン・ピクチャーフォーマットで前記第１の番組コンテンツ（Ｃ１）および前記第２の番組コンテンツ（Ｃ２）を、前記第１の番組コンテンツ（Ｃ１）が主映像コンテンツとして機能し、且つ前記第２の番組コンテンツ（Ｃ２）が副映像コンテンツとして機能するように同時に再生することを可能にするために、前記処理ユニット（２２）からの制御に応答することを特徴とする、請求項１に記載の表示システム（１００）。
【請求項３】
前記処理ユニット（２２）は、
前記第１の番組信号（ＰＳ１）を第１のオーディオ信号（Ａ１）および第１のビデオ信号（Ｖ１）から成る第１の合成信号に変換して、前記第２の番組信号（ＰＳ２）を第２のオーディオ信号（Ａ２）および第２のビデオ信号（Ｖ２）から成る第２の合成信号に変換するように作動可能である復調モジュール（２２１）と、
前記復調モジュール（２２１）と連結される制御モジュール（２２２）と、
前記制御モジュール（２２２）および前記復調モジュール（２２１）と連結されるデマルチプレクサモジュール（２２３）であって、前記デマルチプレクサモジュール（２２３）は、前記復調モジュール（２２１）から前記第１および第２の合成信号を受信して、そこから前記第１および第２のオーディオ信号（Ａ１、Ａ２）および前記第１および第２のビデオ信号（Ｖ１、Ｖ２）を得るために前記制御モジュール（２２２）によって制御される前記デマルチプレクサモジュール（２２３）と、
前記デマルチプレクサモジュール（２２３）と連結されて、前記第１の番組コンテンツ（Ｃ１）を生じさせるために、前記第１のオーディオ信号（Ａ１）および前記第１のビデオ信号（Ｖ１）を復号し、かつ、前記第２の番組コンテンツ（Ｃ２）を生じさせるために、前記第２のオーディオ信号（Ａ２）および前記第２のビデオ信号（Ｖ２）を復号するように作動可能である復号化モジュール（２２４）と、
前記復号化モジュール（２２４）と連結されて、前記第２の番組コンテンツ（Ｃ２）を前記番組パケット（Ｅ１）に符号化するように作動可能である符号化モジュール（２２５）とを含むことを特徴とする、請求項１に記載の表示システム（１００）。
【請求項４】
前記モバイル機器（３）は、前記制御ユニット（３２）と連結されるプレスキーユニット（３４）を更に含み、前記制御ユニット（３２）は、前記第１の通信ユニット（２４）および前記第２の通信ユニット（３１）を介して制御信号を前記処理ユニット（２２）に送信するための前記プレスキーユニット（３４）のユーザ操作に応答し、前記制御信号は、前記第２の番組信号（ＰＳ２）を変更するために、前記信号受信ユニット（２１）を制御するように前記処理ユニット（２２）を設定するための番組変更信号であることを特徴とする、請求項１に記載の表示システム（１００）。
【請求項５】
前記モバイル機器（３）は、前記制御ユニット（３２）と連結されるプレスキーユニット（３４）を更に含み、前記制御ユニット（３２）は、前記モバイル機器（３）によって再生される前記第２の番組コンテンツ（Ｃ２）のボリュームを調節するために、制御信号を生成するための前記プレスキーユニット（３４）のユーザ操作に応答することを特徴とする、請求項１に記載の表示システム（１００）。
【請求項６】
前記第１の通信ユニット（２４）および前記第２の通信ユニット（３１）は、ワイヤレス通信によって相互に通信することを特徴とする、請求項１に記載の表示システム（１００）。
【請求項７】
モバイル機器（３）を用いた使用のための表示装置（２）であって、前記表示装置（２）は、
第１の番組信号（ＰＳ１）および第２の番組信号（ＰＳ２）を受信するための信号受信ユニット（２１）と、
そこから前記第１および第２の番組信号（ＰＳ１、ＰＳ２）を受信するために前記信号受信ユニット（２１）と連結される処理ユニット（２２）であって、前記処理ユニット（２２）は、前記第１の番組信号（ＰＳ１）を第１の番組コンテンツ（Ｃ１）に変換することと、前記第２の番組信号（ＰＳ２）を第２の番組コンテンツ（Ｃ２）に変換することと、前記第２の番組コンテンツ（Ｃ２）を番組パケット（Ｅ１）に符号化することとができるように作動可能である前記処理ユニット（２２）と、
前記処理ユニット（２２）と連結されて、前記第１の番組コンテンツ（Ｃ１）を再生するために前記処理ユニット（２２）によって制御される出力ユニット（２３）と、
前記処理ユニット（２２）と連結されて、前記モバイル機器（３）による受信のための前記番組パケット（Ｅ１）を送信するために前記処理ユニット（２２）によって制御される通信ユニット（２４）とを含むことを特徴とする、前記表示装置（２）。
【請求項８】
前記処理ユニット（２２）および前記出力ユニット（２３）と連結されるスケーラ（２５）を更に含み、前記スケーラ（２５）は、前記出力ユニット（２３）がピクチャー・イン・ピクチャーフォーマットで前記第１の番組コンテンツ（Ｃ１）および前記第２の番組コンテンツ（Ｃ２）を、前記第１の番組コンテンツ（Ｃ１）が主映像コンテンツとして機能し、且つ前記第２の番組コンテンツ（Ｃ２）が副映像コンテンツとして機能するように同時に再生することを可能にするために、前記処理ユニット（２２）からの制御に応答することを特徴とする、請求項７に記載の表示装置（２）。
【請求項９】
前記処理ユニット（２２）は、
前記第１の番組信号（ＰＳ１）を第１のオーディオ信号（Ａ１）および第１のビデオ信号（Ｖ１）から成る第１の合成信号に変換して、前記第２の番組信号（ＰＳ２）を第２のオーディオ信号（Ａ２）および第２のビデオ信号（Ｖ２）から成る第２の合成信号に変換するように作動可能である復調モジュール（２２１）と、
前記復調モジュール（２２１）と連結される制御モジュール（２２２）と、
前記制御モジュール（２２２）および前記復調モジュール（２２１）と連結されるデマルチプレクサモジュール（２２３）であって、前記デマルチプレクサモジュール（２２３）は、前記復調モジュール（２２１）から前記第１および第２の合成信号を受信して、そこから前記第１および第２のオーディオ信号（Ａ１、Ａ２）および前記第１および第２のビデオ信号（Ｖ１、Ｖ２）を得るために前記制御モジュール（２２２）によって制御される前記デマルチプレクサモジュール（２２３）と、
前記デマルチプレクサモジュール（２２３）と連結されて、前記第１の番組コンテンツ（Ｃ１）を生じさせるために、前記第１のオーディオ信号（Ａ１）および前記第１のビデオ信号（Ｖ１）を復号し、かつ、前記第２の番組コンテンツ（Ｃ２）を生じさせるために、前記第２のオーディオ信号（Ａ２）および前記第２のビデオ信号（Ｖ２）を復号するように作動可能である復号化モジュール（２２４）と、
前記復号化モジュール（２２４）と連結されて、前記第２の番組コンテンツ（Ｃ２）を前記番組パケット（Ｅ１）に符号化するように作動可能である符号化モジュール（２２５）とを含むことを特徴とする、請求項７に記載の表示装置（２）。
【請求項１０】
前記通信ユニット（２４）は、ワイヤレス通信によって前記モバイル機器と通信するように設定されることを特徴とする、請求項７に記載の表示装置（２）。
【請求項１１】
番組コンテンツの再生のための方法であって、前記方法は表示装置（２）およびモバイル機器（３）によって実行され、以下のステップ、
ａ）前記表示装置（２）によって、第１の番組信号（ＰＳ１）および第２の番組信号（ＰＳ２）を受信するステップ、
ｂ）前記第１の番組信号（ＰＳ１）を第１の番組コンテンツ（Ｃ１）に変換して、前記第１の番組コンテンツ（Ｃ１）を再生するように前記表示装置（２）を設定するステップ、
ｃ）前記第２の番組信号（ＰＳ２）を第２の番組コンテンツ（Ｃ２）に変換して、前記第２の番組コンテンツ（Ｃ２）を番組パケット（Ｅ１）に符号化して、前記番組パケット（Ｅ１）を前記モバイル機器（３）に送信するように前記表示装置（２）を設定するステップ、
ｄ）前記番組パケット（Ｅ１）を受信し、前記第２の番組コンテンツ（Ｃ２）を元に戻すために前記番組パケット（Ｅ１）を復号し、前記第２の番組コンテンツ（Ｃ２）を再生するように前記モバイル機器（３）を設定するステップ
を含むことを特徴とする、前記方法。
【請求項１２】
前記第１および第２の番組コンテンツ（Ｃ１、Ｃ２）を得た後に、前記表示装置（２）は、ピクチャー・イン・ピクチャーフォーマットで同時に前記第１および第２の番組コンテンツ（Ｃ１、Ｃ２）を、前記第１の番組コンテンツ（Ｃ１）が主映像コンテンツとして機能し、且つ前記第２の番組コンテンツ（Ｃ２）が副映像コンテンツとして機能するように再生するように作動可能であることを特徴とする、請求項１１に記載の方法。
【請求項１３】
ステップｂ）において、前記表示装置（２）は、前記第１の番組信号（ＰＳ１）を第１のオーディオ信号（Ａ１）および第１のビデオ信号（Ｖ１）から成る第１の合成信号に変換して、その後、そこから前記第１のオーディオ信号（Ａ１）および前記第１のビデオ信号（Ｖ１）を得るステップと、前記第１の番組コンテンツ（Ｃ１）を生じさせるために、前記第１のオーディオ信号（Ａ１）および前記第１のビデオ信号（Ｖ１）を復号するステップが続き、
ステップｃ）において、前記表示装置（２）は、前記第２の番組信号（ＰＳ２）を第２のオーディオ信号（Ａ２）および第２のビデオ信号（Ｖ２）から成る第２の合成信号に変換して、その後、そこから前記第２のオーディオ信号（Ａ２）および前記第２のビデオ信号（Ｖ２）を得るステップと、前記第２の番組コンテンツ（Ｃ２）を生じさせるために、前記第２のオーディオ信号（Ａ２）および前記第２のビデオ信号（Ｖ２）を復号するステップが続くことを特徴とする、請求項１１に記載の方法。
【請求項１４】
前記表示装置（２）は、前記第２の番組信号を変更するために、前記モバイル機器（３）からの番組変更信号である制御信号に応答することを特徴とする、請求項１１に記載の方法。
【請求項１５】
番組コンテンツの再生のための方法であって、前記方法は、表示装置（２）によって実行され、以下のステップ、
ａ）第１の番組信号（ＰＳ１）および第２の番組信号（ＰＳ２）を受信するステップ、
ｂ）前記第１の番組信号（ＰＳ１）を処理して、再生するステップ、
ｃ）モバイル機器（３）による再生のための前記第２の番組信号（ＰＳ２）を処理して、送信するステップ
を含むことを特徴とする、前記方法。
【請求項１６】
ステップｂ）は、前記第１の番組信号（ＰＳ１）を第１の番組コンテンツ（Ｃ１）に変換するステップと、前記第１の番組コンテンツ（Ｃ１）を再生するステップを含むことを特徴とする、請求項１５に記載の方法。
【請求項１７】
ステップｃ）は、前記第２の番組信号（ＰＳ２）を第２の番組コンテンツ（Ｃ２）に変換するステップと、前記第２の番組コンテンツ（Ｃ２）を番組パケット（Ｅ１）に符号化するステップと、前記番組パケット（Ｅ１）を前記モバイル機器（３）にそれによる再生のために送信するステップとを含むことを特徴とする、請求項１６に記載の方法。
【請求項１８】
前記第１および第２の番組コンテンツ（Ｃ１、Ｃ２）を得た後に、前記第１および第２の番組コンテンツ（Ｃ１、Ｃ２）は、ピクチャー・イン・ピクチャーフォーマットで同時に再生され、前記第１の番組コンテンツ（Ｃ１）は、主映像コンテンツとして機能し、第２の番組コンテンツ（Ｃ２）は、副映像コンテンツとして機能することを特徴とする、請求項１７に記載の方法。
【請求項１９】
ステップｃ）は、前記第２の番組信号（ＰＳ２）を第２の番組コンテンツ（Ｃ２）に変換するステップと、前記第２の番組コンテンツ（Ｃ２）を番組パケット（Ｅ１）に符号化するステップと、前記番組パケット（Ｅ１）を前記モバイル機器（３）にそれによる再生のために送信するステップとを含むことを特徴とする、請求項１５に記載の方法。
【請求項２０】
前記表示装置（２）は、前記第２の番組信号（ＰＳ２）を変更するために、前記モバイル機器（３）からの番組変更信号である制御信号に応答することを特徴とする、請求項１５に記載の方法。
【発明の詳細な説明】
【技術分野】
【０００１】
この出願は、２０１１年１０月１２日に出願された台湾出願番号第１００１３６９４４号の優先権を主張する。
【０００２】
本発明は、表示システム、特に複数の番組コンテンツを再生するために作動可能である表示システムに関する。
【背景技術】
【０００３】
半導体技術の発展とともに、液晶ディスプレイ（ＬＣＤ）はより薄くなり、その画質はより鮮明になった。家族全員が一緒にリビングルームでＴＶを見ることは、珍しいことではない。しかし、家族の中で好みのテレビ番組が異なることがあり、このことにより、ＴＶが一度に一つのテレビ番組しか再生することができない場合には不都合が生じる。一部のＬＣＤ  ＴＶは、ピクチャー・イン・ピクチャー（ＰＩＰ）機能を有しており、その結果、家族の面々は同時に別々のテレビ番組を見ることができる。６２インチＬＣＤ  ＴＶを例にとると、その画面領域は、２９インチＬＣＤ  ＴＶのそれの４倍以上である。６２インチＬＣＤ  ＴＶがそれ上に４つの副映像を表示する場合、各副映像は、２９インチのＬＣＤ  ＴＶの全画面領域より大きく、その結果、視覚的な再生は影響を受けない。ＰＩＰ機能によって、家族の面々は１つのＬＣＤ  ＴＶを使用して、別々のテレビ番組を見ることができ、家族が複数のＬＣＤ  ＴＶを買う必要性を軽減することができる。
【０００４】
しかしながら、ＰＩＰ機能には、いくつかの欠点がある。１つは、ＰＩＰ視聴のために大型のＬＣＤ  ＴＶを買うことがやや浪費的であるということである。もう１つは、ＬＣＤ  ＴＶで別々のテレビ番組を見るときに、そのオーディオ信号が相互に干渉するかもしれない、または、副映像のオーディオ信号が出力されないかもしれないことである。
【発明の概要】
【発明が解決しようとする課題】
【０００５】
従って、本発明の目的は、既知の発明の上記の欠点を解決することができる表示システムを提供することである。
【課題を解決するための手段】
【０００６】
本発明の一態様によれば、ディスプレイシステムは、
第１の番組信号および第２の番組信号を受信するための信号受信ユニットと、
そこから第１および第２の番組信号を受信するために前記信号受信ユニットと連結される処理ユニットであって、前記処理ユニットは、前記第１の番組信号を第１の番組コンテンツに変換することと、前記第２の番組信号を第２の番組コンテンツに変換することと、前記第２の番組コンテンツを番組パケットに符号化することとができるように作動可能である前記処理ユニットと、
前記処理ユニットと連結されて、前記第１の番組コンテンツを再生するために前記処理ユニットによって制御される第１の出力ユニットと、
前記処理ユニットと連結されて、前記番組パケットを送信するために前記処理ユニットによって制御される第１の通信ユニットとを含む表示装置、および、
番組パケットを受信するための第２の通信ユニットと、
そこから前記番組パケットを受信するために前記第２の通信ユニットと連結される制御装置であって、前記第２の番組コンテンツを元に戻すために前記番組パケットを復号するように作動可能である前記制御装置と、
前記制御装置と連結されて、前記第２の番組コンテンツを再生するために前記制御装置によって制御される第２の出力ユニットとを含むモバイル機器を含む。
【０００７】
本発明の別の目的は、番組コンテンツの再生のための表示装置およびモバイル機器によって実行される方法を提供することである。
【０００８】
本発明の別の態様によれば、方法は、以下のステップ、
ａ）前記表示装置によって、第１の番組信号および第２の番組信号を受信するステップ、
ｂ）前記第１の番組信号を第１の番組コンテンツに変換して、前記第１の番組コンテンツを再生するように前記表示装置を設定するステップ、
ｃ）前記第２の番組信号を第２の番組コンテンツに変換して、前記第２の番組コンテンツを番組パケットに符号化して、前記番組パケットを前記モバイル機器に送信するように前記表示装置を設定するステップ、および、
ｄ）前記番組パケットを受信し、前記第２の番組コンテンツを元に戻すために前記番組パケットを復号し、前記第２の番組コンテンツを再生するように前記モバイル機器を設定するステップとを含む。
【０００９】
本発明の他の特徴および利点は、添付図面を参照して、以下の好ましい実施形態の詳細な説明において明らかとなろう。
【図面の簡単な説明】
【００１０】
【図１】図１は、本発明による表示システムの好ましい実施形態を示している概略ブロック図である。
【図２】図２は、好ましい実施形態の処理ユニットの概略ブロック図である。
【図３】図３は、ピクチャー・イン・ピクチャーモードで作動している好ましい実施形態の表示装置の概略図である。
【図４】図４は、好ましい実施形態の表示システムの動作ステップを示しているフローチャートである。
【図５】図５は、好ましい実施形態の表示装置およびモバイル機器を示している概略図である。
【発明を実施するための形態】
【００１１】
図１および図２を参照して、この発明による表示システム１００の好ましい実施形態は、表示装置２およびモバイル機器３を含むように示される。表示装置２は、信号受信ユニット２１、信号受信ユニット２１と連結される処理ユニット２２、処理ユニット２２と連結される第１の出力ユニット２３、処理ユニット２２と連結される第１の通信ユニット２４、および処理ユニット２２および第１の出力ユニット２３と連結されるスケーラ２５を含む。本実施形態において、表示装置２は、液晶テレビ（ＬＣＤ  ＴＶ）でありえ、モバイル機器３は、スマートフォンでありえる。
【００１２】
信号受信ユニット２１は、ケーブルテレビ番組または地上波テレビ番組の複数の番組信号を受信するために使用される。
【００１３】
処理ユニット２２は、復調モジュール２２１、復調モジュール２２１と連結される制御モジュール２２２、制御モジュール２２２および復調モジュール２２１と連結されるデマルチプレクサモジュール２２３、デマルチプレクサモジュール２２３と連結される復号化モジュール２２４、および復号化モジュール２２４と連結される符号化モジュール２２５を含む。
【００１４】
復調モジュール２２１は、番組信号をオーディオ信号およびビデオ信号から成る合成信号に変換するために、制御モジュール２２２によって制御される。デマルチプレクサモジュール２２３は、復調モジュール２２１から合成信号を受信して、そこからオーディオおよびビデオ信号を得るために制御モジュール２２２によって制御される。復号化モジュール２２４は、オーディオおよびビデオ信号を番組コンテンツに復号するように作動可能である。符号化モジュール２２５は、いくつかの番組コンテンツを各番組パケットに符号化するように作動可能である。
【００１５】
図１および図３を参照して、スケーラ２５は、第１の出力ユニット２３がピクチャー・イン・ピクチャー（ＰＩＰ）フォーマットで同時に別々の番組コンテンツを再生することを可能にするように、画像補正、表示比率調節、映像寸法スケーリングなどのためのビデオ信号を処理するために、処理ユニット２２からの制御に応答する。しかし、画像表示のフォーマットはそれに制限されず、スケーラ２５はまた、第１の出力ユニット２３が全画面フォーマットの番組コンテンツを再生することを可能にするように作動可能である。
【００１６】
第１の通信ユニット２４は、番組パケットをモバイル機器３に送信するために処理ユニット２２によって制御される。
【００１７】
モバイル機器３は、第２の通信ユニット３１、第２の通信ユニット３１と連結される制御ユニット３２、および、制御ユニット３２と連結される第２の出力ユニット３３を含む。
【００１８】
第２の通信３１は、番組パケットを受信するために使用され、制御ユニット３２は、その番組コンテンツを元に戻すために番組パケットを復号するように作動可能であり、第２の出力ユニット３３は、制御ユニット３２によって元に戻された番組コンテンツを再生するために制御ユニット３２によって制御される。
【００１９】
本実施形態において、第１の通信ユニット２４および第２の通信ユニット３１は、ワイヤレス標準に従うワイヤレス通信、例えば無線周波数、赤外線、極超広帯域、ブルートゥース、Ｗｉ―Ｆｉなどによって、相互に通信する。他の実施形態において、第１および第２の通信ユニット２４および３１は、ワイヤを使用して通信することができる。
【００２０】
図１、図２および図４を参照して、表示システム１００は、以下のステップを含む番組コンテンツの再生のための方法を実行する。
【００２１】
ステップＳ１０：ユーザが表示装置２をオンにするとき、表示装置２の信号受信ユニット２１が、第１の番組信号ＰＳ１および第２の番組信号ＰＳ２を受信する。
【００２２】
ステップＳ２０：処理ユニット２は、第１の番組信号ＰＳ１を第１の番組コンテンツＣ１に変換して、第１の番組コンテンツＣ１を再生する。詳細には、（ステップＳ２０１に示すように）制御モジュール２２２は、第１の番組信号ＰＳ１を第１のオーディオ信号Ａ１および第１のビデオ信号Ｖ１から成る第１の合成信号に変換するために復調モジュール２２１を制御する。（ステップＳ２０２に示すように）デマルチプレクサモジュール２２３は、復調モジュール２２１から第１の合成信号を受信して、そこから第１のオーディオ信号Ａ１および第１のビデオ信号Ｖ１を得るために制御モジュール２２２によって制御される。（ステップＳ２０３に示すように）復号化モジュール２２４は、第１の番組コンテンツＣ１を生じさせるために、第１のオーディオ信号Ａ１および第１のビデオ信号Ｖ１を復号する。（ステップＳ２０４に示すように）その後、制御モジュール２２２は、第１の番組コンテンツＣ１を再生するために第１の出力モジュール２３を制御する。本実施形態において、第１の番組コンテンツＣ１は、第１のオーディオ信号Ａ１および第１のビデオ信号Ｖ１によって第１の出力ユニット２３により再生される主映像コンテンツとして機能する。
【００２３】
ステップＳ３０：処理ユニット２は、第２の番組信号ＰＳ２を第２の番組コンテンツＣ２に変換して、第２の番組コンテンツＣ２を再生して、第２の番組コンテンツＣ２を番組パケットＥ１に符号化して、番組パケットＥ１をモバイル機器３に送信する。詳細には、（ステップＳ３０１に示すように）制御モジュール２２２は、第２の番組信号ＰＳ２を第２のオーディオ信号Ａ２および第２のビデオ信号Ｖ２から成る第２の合成信号に変換するために復調モジュール２２１を制御する。（ステップＳ３０２に示すように）デマルチプレクサモジュール２２３は、復調モジュール２２１から第２の合成信号を受信して、そこから第２のオーディオ信号Ａ２および第２のビデオ信号Ｖ２を得るために制御モジュール２２２によって制御される。（ステップＳ３０３に示すように）復号化モジュール２２４は、第２の番組コンテンツＣ２になるために、第２のオーディオ信号Ａ２および第２のビデオ信号Ｖ２を復号する。（ステップＳ３０４に示すように）その後、符号化モジュール２２５は、第２の番組コンテンツＣ２を番組パケットＥ１に符号化し、（ステップＳ３０５に示すように）第１の通信ユニット２４は、番組パケットＥ１をモバイル機器３に送信する。第２の番組コンテンツＣ２が、第２のオーディオ信号Ａ２および第２のビデオ信号Ｖ２によって第１の出力ユニット２３により再生される副映像コンテンツとして機能しうる点に留意する必要がある。
【００２４】
ステップＳ４０：モバイル機器３の第２の通信ユニット３１は、番組パケットＥ１を受信する。
【００２５】
ステップＳ５０：制御ユニット３２は、第２の番組コンテンツＣ２を元に戻すために、番組パケットＥ１を復号する。
【００２６】
ステップＳ６０：制御ユニット３２は、第２の番組コンテンツＣ２を再生するために第２の出力ユニット３３を制御する。換言すれば、表示システム１００は、表示装置２および少なくとも一つのモバイル機器３によって、２つまたはそれ以上の受信された番組信号を再生することができる。その結果、各ユーザは、異なるモバイル機器３によって好みの番組を個々に見ることができ、これにより、結果として表示装置２の前での視聴に制限されずに番組視聴品質の向上をもたらす。
【００２７】
図１および図５を参照して、この実施形態のモバイル機器３は、制御ユニット３２と連結されるプレスキー（ｐｒｅｓｓ  ｋｅｙ）ユニット３４を更に含む。プレスキーユニット３４は、送信可能キー３４１、送信停止キー３４２、複数のチャンネル番号キー３４３、チャンネル変更キー３４４およびボリューム調節キー３４５を含む。送信可能キー３４１は、トリガ信号を生成するようにユーザ操作が可能であり、制御ユニット３２は、第１の通信ユニット２４および第２の通信ユニット３１を介して制御信号ＣＴ１を処理ユニット２２に送信し、かつ、モバイル機器３に番組パケットＥ１の送信を可能にするためのそのトリガ信号に応答する。さらに、制御ユニット３２は、更に、各制御信号ＣＴ２、ＣＴ３、ＣＴ４およびＣＴ５を生成するために、送信停止キー３４２、チャンネル番号キー３４３、チャンネル変更キー３４４およびボリューム調節キー３４５からのトリガ信号に応答し、その結果、処理ユニット２２は、制御信号ＣＴ２によって番組パケットＥ１の送信を終え、信号受信ユニット２１は、制御信号ＣＴ３およびＣＴ４によって第２の番組信号を変更し、モバイル機器３により再生された番組コンテンツＣ２のボリュームは、制御信号ＣＴ５によって調節される。モバイル機器３によって、ユーザは、要求どおりであって、かつ、比較的容易に、番組選択とボリュームを制御することができる。
【００２８】
要約すれば、表示装置２はそれ上に番組コンテンツを再生して、番組パケットの形でモバイル機器３に他の番組コンテンツを送信するように作動可能であり、その結果、ユーザは他の番組コンテンツから干渉されないでモバイル機器３によって好みの番組コンテンツを個々に見ることができる。さらに、表示システム１００は、第２の端末表示装置として機能するように表示装置２と協動するスマートフォンの普及を利用しており、これにより別々の番組を見るという家族の要望を満足させ、そして、複数のＴＶを買うためのコストを節約することができる。本発明はまた、ユーザが表示装置２の前にいることに制限されることなくテレビ番組を見ることを可能にする。
【００２９】
本発明は最も実用的でかつ好適な実施形態と思われるものに関連して説明してきたが、本発明は開示された実施形態には限定されず、すべてのこの種の変形例および等価物を含むために最も広い解釈の範囲内に含まれるさまざまな装置を包含することを目的とするものと理解される。
【符号の説明】
【００３０】
１００  表示システム
２  表示装置
２１  信号受信ユニット
２２  処理ユニット
２３  第１の出力ユニット
２４  第１の通信ユニット
２５  スケーラ
３  モバイル機器
３１  第２の通信ユニット
３２  制御ユニット
３３  第２の出力ユニット
３４  プレスキーユニット
【図１】
2013085226.tif 000003
【図２】
2013085226.tif 000004
【図３】
2013085226.tif 000005
【図４】
2013085226.tif 000006
【図５】
2013085226.tif 000007
【外国語明細書】
2013085226000001.pdf
2013085226000002.pdf
2013085226000003.pdf
2013085226000004.pdf